(57)【要約】本発明は、記録処理用の複数の記録パラメータ組を有する記録担体に関する。記録パラメータは、いわゆる書き込み方式を定め、この方式によって記録された情報信号がパルス状放射線に変換され、これにより情報が記録担体に記録される。各組が特定の記録速度範囲に対応した、複数の記録パラメータ組を提供することにより、各種記録速度において良質な記録を行うことが可能となる。【特許請求の範囲】
【請求項１】
パルス状放射線を照射することにより情報を記録することができる光記録担体であって、当該記録担体は、記録処理用の制御情報の標示を有する領域を有し、前記標示を利用することで前記情報が当該記録担体に記録され、前記制御情報は、前記記録処理用の記録パラメータ値を有し、
前記制御情報は、第1の記録速度範囲で前記記録処理を行う第1の記録パラメータ組と、第2の記録速度範囲で前記記録処理を行う第2の記録パラメータ組とを有することを特徴とする、光記録担体。
【請求項２】
前記第1の記録速度範囲は、前記第2の記録速度範囲と一部重複することを特徴とする請求項1に記載の記録担体。
【請求項３】
前記記録パラメータの少なくとも一部は、前記パルス状放射線の一連のパルスを定めることを特徴とする請求項1または2に記載の記録担体。
【請求項４】
記録パラメータは、書き込み方式に関する標示であって、前記記録パラメータは、第1の書き込み方式の記録パラメータ標示組には第1の値を、また第2の書き込み方式の記録パラメータ標示組には第2の値を有することを特徴とする請求項1または2に記載の記録担体。
【請求項５】
記録担体の情報層にパルス状放射線を照射することにより、前記情報層に情報を記録する方法であって、
記録処理用の制御情報の標示を有する前記記録担体の領域から、前記記録処理用の記録パラメータ値が読み出されることにより、前記情報を前記記録担体に記録することが可能な初期化ステップと、
記録された前記情報をパルス状放射線に変換する書き込みステップであって、前記変換は、前記記録パラメータの読出し値に基づいて行われる、書き込みステップと、
を有し、
前記初期化ステップにおいて、前記情報が第1の記録速度範囲の速度で書き込まれた場合には、第1の記録パラメータ組が読み出され、前記情報が第2の記録速度範囲の速度で書き込まれた場合には、第2の記録パラメータ組が読み出されることを特徴とする方法。
【請求項６】
記録担体の情報層にパルス状放射線を照射することにより、前記情報層に情報を記録する記録装置であって、請求項5に記載の方法を実施することが可能な記録装置。
【発明の詳細な説明】
【技術分野】
【０００１】
本発明は、パルス状放射線を照射することにより情報を記録することが可能な光記録担体に関する。当該記録担体は、記録処理用の制御情報の標示を有する領域を有し、前記標示を利用することで前記情報が当該記録担体に記録され、前記制御情報は、前記記録処理用の記録パラメータ値を有する。
【背景技術】
【０００２】
前述のディスク状光記録担体は良く知られており、例えば、これに限定されるものではないが、追記型CD（CD-R）、書き換え可能型CD（CD-RW）、追記型DVD（DVD-R、DVD+R）および書き換え可能型DVD（DVD-RAM、DVD-RW、DVD+RW）のディスクが含まれる。情報は、パルス状放射線を記録担体に照射することによって、そのような記録担体に記録されるが、その間記録担体は、放射線位置に対してある回転速度で回転する。パルス状放射線の一連のパルス、すなわちパルスパターンおよびパルス間の間隔は、記録された情報を表す。記録情報は、記録装置によってパルス状放射線に変換される。記録情報と対応するパルス状放射線の関係は、いわゆる書き込み方式によって定められる。通常これらの書き込み方式は、特定の光記録形式のシステム規格に特化される。例えばDVD+書き換え可能型システム表記；ベーシックフォーマット方式である。
【０００３】
しかしながら、書き込み方式は、記録される記録担体自体と完全独立に特化させることはできない。良好な記録結果を得るには、書き込み方式のいくつかの特性を各記録担体に適合させる必要がある。そのような特性は、例えばパルス状放射線のパルス時間、パルス間隔時間および書き込み出力値と消去出力値の比などである。これらの書き込み方式の特性は、記録パラメータによって定められる。
【０００４】
特定の記録担体の記録中に、記録パラメータの適切な値が利用できるように、記録パラメータ値は、記録担体自体に保管される。記録担体の情報層に実際に書き込みを行う前に、記録装置は、記録担体自体からこの記録パラメータ値を読み取り、次ステップにおいてパルス状放射線に情報を変換する際に、これらの読出し値を利用する。
【０００５】
記録担体自体に保管された記録パラメータ値を用いることで、特定の記録速度範囲で情報を記録担体に適切に記録することが可能となる。通常、記録担体に保管された記録パラメータ値は、それらが、定角速度（CAV）モードで記録担体に記録されるように設定され、記録角速度は一定に維持される。これに対して線記録速度は、ディスク状記録担体の内径（ID）から外径（OD）に向かって増大する。径が12cmの標準的な寸法のCDまたはDVDディスクの場合、線記録速度は、2.4倍まで変化する。例えばDVD+RWシステム表記；ベーシックフォーマット方式では、ディスクに保管された記録パラメータ値は、3.49m/s（DVDシステムの1×という）から8.44m/s（DVDシステムの2.4×という）の範囲の線記録速度でCAVモードによる記録を行う際に良好な情報記録が行えるように設定される。
【０００６】
現在のところ、記録担体は、より速い記録速度で記録されるように設計が進められている。これらの記録担体は、物理的には、現在のシステム規格で定められた速度より高速度で記録することが可能である。しかしながら、記録担体に保管された記録パラメータ値を用いて、これらの記録担体に高記録速度で記録を行うと、記録品質は低下する。記録品質は、例えば記録情報を表す記録マークのジッターによって定量化される。このジッターは、記録マークの読み出しによって得られるデジタル読み出し信号の切替時間と、対応するクロック信号の切替時間の間の時間差の標準偏差である。ここでこの時間差は、前記クロック信号のある周期時間によって規格化される。
【発明の開示】
【発明が解決しようとする課題】
【０００７】
本発明の課題は、高記録速度かつ良好な品質で情報を記録することの可能な記録担体およびその方法を提供することである。この課題は、序章に示した記録担体であって、制御情報が、第1の記録速度範囲で記録処理を行う第1の記録パラメータ組と、第2の記録速度範囲で記録処理を行う第2の記録パラメータ組とを有する記録担体を提供することで可能となる。
【課題を解決するための手段】
【０００８】
本発明によるそのような記録担体は、記録担体に情報を書き込む際に用いた記録速度に応じて、記録装置を用いて、記録担体自体から記録パラメータ値を選択的に読み出すことができる。記録担体は、例えば3.49m/s（DVDシステムについては1×という）から8.44m/s（DVDシステムについては2.4×という）の第1の記録速度範囲で記録処理を行う第1の記録パラメータ組と、5.77m/s（DVDシステムについては1.6×という）から13.95m/s（DVDシステムについては4×という）の第2の記録速度範囲で記録処理を行う第2の記録パラメータ組とを有する。ここで、高記録速度範囲（すなわち第2の記録速度範囲）で記録を行うことのできる記録装置は、初期化ステップにおいて、記録担体から第2の書き込みパラメータ組を読み取り、後続の書き込みステップにおいてパルス状放射線に情報を変換する際に、この第2の組を利用する。一方、低記録（すなわち第1の）速度範囲での記録しかできない記録装置は、初期化ステップにおいて記録担体から第1の書き込みパラメータ組を読み取り、後続の書き込みステップにおいて情報をパルス状放射線に変換する際に、この第1の組を利用する。このように、低記録速度での記録および高記録速度での記録のいずれの場合も、高品質の記録を行うことができる。さらに記録担体は、高記録速度での記録ができる記録装置および低記録速度でしか記録することのできない記録装置のいずれにも利用できる。このように記録担体には、いわゆる下位互換性が得られる。
【０００９】
上述の例では、記録パラメータを2組として本発明を説明したが、記録担体にはいかなる数の組を保管しても良いことに留意する必要がある。各組は、特定の記録速度範囲で記録処理を行うための記録パラメータを有する。この場合、記録担体には多数の記録速度範囲が設けられる。
【００１０】
本発明による記録担体の実施例では、第1の記録速度範囲は、第2の記録速度範囲と一部重複することを特徴とする。この場合、使用する記録速度範囲を拡張することが可能となるため、CAVモードで記録を行う際には特に有意である。上述の記録担体の例では、線記録速度範囲は、2.4倍（1×乃至2.4×）から4倍（1×乃至4×）に拡張される。
【００１１】
本発明による記録担体の実施例では、記録パラメータは、書き込み方式に関する標示であって、前記記録パラメータは、第1の書き込み方式の記録パラメータ標示組には第1の値を、また第2の書き込み方式の記録パラメータ標示組には第2の値を有する。この場合、記録パラメータを特定の記録速度範囲に適合させることのみならず、異なる記録速度範囲で別の書き込み方式を用いることが可能となるため、記録装置の汎用性が増し、最適な記録処理を行うことができる。
【発明を実施するための最良の形態】
【００１２】
本発明のこれらのおよび他の態様と利点を添付図面を用いて、以下に示す。
【００１３】
図1には、記録可能な記録担体1の想定される実施例を示す。図1aは平面図である。図1bは、線b-bに沿った断面の一部を示す。図1cおよび1dは、記録担体1の部分2の第1実施例および第2実施例の拡大平面図である。記録担体1は、トラック4を有し、このトラックは、例えば予め成形されたグルーブまたは凸部を有する。トラック4は、情報信号を記録するためのものである。記録担体1には記録のため、透明基板5上に記録層6が設けられ、この記録層は保護層7で被覆される。記録層6は、適切な強度の適切な放射線が照射された際に、光学的に検知できる変化が生じる材料からなる。そのような層は、例えばテルルのような金属の薄膜層である。適切な強度のレーザー光線を照射すると、この材料層は局部的に溶融するため、この位置では前記層は、異なる反射率を示すこととなる。トラック4が、記録される情報に適合するように変調された強度の放射線で走査されると、光学的に検知できる記録マークの情報パターンが形成され、このパターンによって情報が表現される。あるいはこの層は、他の放射線感受性材料であっても良く、例えば色素、あるいは加熱によって、例えばアモルファスから結晶質またはその逆の構造変化が生じるような材料である。
【００１４】
記録担体1に情報を記録するため、放射線の位置は、トラック4によってトラック4上に正確に合わされる。換言すると、トラックを用いた記録担体1で反射した放射線によるトラッキングシステムを介して、放射線の位置は半径方向に制御される。
【００１５】
記録処理の制御情報標示は、図1cに示すような正弦波状の蛇行トラックとして予め成形されたトラックの変調によって、トラック4に適切に記録される。ただし、例えばトラック幅が変化するような他のトラックの変調方式（図1d）を利用しても良い。トラックの蛇行は、記録担体の製作時に極めて簡単に形成することができるため、そのような蛇行状トラックにおけるトラックの変調を利用することは好適である。図1には、誇張したスケールでトラックの変調が示されていることに留意する必要がある。さらに図ではトラックピッチ（トラック中心間の距離）は、実際よりも実質的に広く描かれている。
【００１６】
トラックの変調は、トラックの変調周波数が、記録処理用の制御情報の標示値と合致するように変調されることが好ましい。ただし他のトラック変調法を利用することも可能である。
【００１７】
記録担体に記録処理用の制御情報の標示を保管する際の改良方法は、国際公開第WO02／49019号に示されている。この方法は、多数の記録パラメータ組を有する場合など、多量の制御情報を記録担体に保管させる必要がある場合に特に有意である。
【００１８】
例えばDVD+RW方式のような光学システムにおいて、そのような変調トラックに保管される記録処理用の制御情報の標示は、しばしばアドレスインプリグルーブまたはADIPと呼ばれる。ADIPに保管されたこの制御信号は、しばしば記録方式パラメータと呼ばれる、記録処理用の記録パラメータ値を有する。記録パラメータの他にも、ADIPは、例えばディスク製造に関する情報、ディスク媒体の種類およびディスクの製品リビジョン番号を有する。
【００１９】
図2には、記録担体1に記録された情報を表すデジタル情報信号10を示す。このデジタル情報信号10の値は、記録担体1の記録層6に記録されたマークの長さを表している。垂直な破線は、デジタル情報信号に属する照合クロック信号の切替点を示す。この照合クロックの1周期は、チャンネルビット周期とも呼ばれ、Twで表される。
【００２０】
記録されたデジタル情報信号は、制御信号11に変換され、この制御信号は、パルス状放射線の出力を制御する。ここでは、パルス状放射線の出力は、制御信号11の対応値に比例すると仮定する。記録された情報と対応するパルス状放射線の関係は、いわゆる書き込み方式によって定められる。図1に示す実施例では、いわゆる（N-1）書き込み方式が用いられる。そのような（N-1）書き込み方式を用いることで、長さnT（すなわちTwのn倍の時間）のデジタル情報信号10のマークは、制御信号11においてn-1組のパルスに変換される。例えば、8Tのマークは、一連の7つのパルスに変換され、3Tのマークは２つのパルスに変換される。
【００２１】
図3には、記録担体1に記録された6Tのマークを表すデジタル情報信号100を示す。記録されるデジタル情報信号100は、（N-1）の書き込み方式によって、制御信号110に変換され、結果的に5つの連続パルスが得られる。これらのパルスは、記録出力値Ppとバイアス出力値pbの間で変調される。一連のパルスの前後では、出力値は、消去出力値Peとなる。この消去出力値Peは、過去に記録された記録マーク間にあるマークを消去することができる放射線の消去出力値に対応する。一連のパルスの実際の形状（すなわち波形）は、記録パラメータdTtop、Ttop、TmpおよびdTeraの値に依存する。ここでTtopは、一連のパルスのうち第1のパルス時間を定め、Tmpは、一連のパルスのうち第1のパルス以外の各パルス時間を定め、dTtopは、照合クロック信号の切替点に対応する第1のパルスの開始点を定め、dTeraは、照合クロック信号の切替点に対応する一連のパルスの終了時を定める。これらの記録パラメータは、実際に情報が記録される前に記録担体自体から読み出される。
【００２２】
本発明の記録担体では、例えばADIPに保管される制御情報は、記録処理用の少なくとも2組の記録パラメータを有する。各組は、記録装置によって、対応する記録速度範囲の速度で情報を記録する際に利用される。特定の組を識別するため、その組と対応する記録速度範囲を、例えば記録パラメータの一つとして、それ自身の組に入れても良い。あるいは制御情報は、ADIP内の組の位置を示すポインタを有するようにもできる。このポインタは、記録速度範囲と対応付けられる。
【００２３】
例えば、出願人によって製作された本発明によるDVD+RWディスクは、2組の記録パラメータを有する；第1の記録情報組は、線記録速度が1×から2.4×の範囲にあって、dTtopは0.33T、Ttopは1/6T+2.0ns、Tmpは2/6T+2.0ns、Pe／Pwは0.5であり、第2の記録情報組は、線記録速度が1×から4×の範囲にあって、dTtopは4/16T、Ttopは1/16T+6.0ns、Tmpは2/16T+4.2ns、Pe／Pwは0.3である。
【図面の簡単な説明】
【００２４】
【図１ａ】本発明による記録担体を示す図である。
【図１ｂ】本発明による記録担体を示す図である。
【図１ｃ】本発明による記録担体を示す図である。
【図１ｄ】本発明による記録担体を示す図である。
【図２】デジタル情報信号と、放射線制御用の対応する制御信号を示す図である。
【図３】デジタル情報信号と、記録パラメータ組に対応して調整された相関制御信号を示す図である。
2006510149.tif 000002
【図２】
2006510149.tif 000003
【図３】
2006510149.tif 000004
【国際調査報告】
2006510149.tif 000005
2006510149.tif 000006